(57)【要約】【課題】  カメラヘッドがカメラ本体に装着されたときに装着されたカメラヘッドがカメラ本体に適合しないということに撮影者がすぐに気付く、使い勝手の良いカメラシステム、またそのカメラシステムを構成するカメラ本体を提供する。【解決手段】  カメラ本体１ｂのＣＰＵ１０ｂが、カメラ本体１ｂに装着されたカメラヘッド１ａのＣＣＤ情報メモリ１４ａからカメラヘッド１ａの種別を表すデータを読み出す。その読み出した種別を表すデータとカメラ本体１ｂのＥＥＰＲＯＭ１２ｂ内のデータとを比較して、同じ種別を表すデータがあったらその種別に応じたコンフィギュレーション情報をＥＥＰＲＯＭ１２ｂから読み出し、そのコンフィギュレーション情報を、信号処理部１４ｂをセットする。【選択図】  図３
2006041766.tif 000002
【特許請求の範囲】
【請求項１】
撮影光学系と撮像素子を備えたカメラヘッドと、該カメラヘッドが着脱自在に装着され該カメラヘッドから画像信号を受け取って信号処理を行なうカメラ本体とを備えたカメラシステムにおいて、
前記カメラヘッドが、該カメラヘッドの種別情報を伝達する種別伝達部を備え、
前記カメラ本体が、
装着されたカメラヘッドの種別を認識するヘッド認識部と、
信号処理を定義する、カメラヘッドの種別に応じたコンフィギュレーション情報を記憶しておく情報記憶部と、
前記ヘッド認識部により認識されたカメラヘッドの種別に応じたコンフィギュレーション情報がセットされ該コンフィギュレーション情報に応じた信号処理を行なう信号処理部と、
前記ヘッド認識部により認識されたカメラヘッドの種別が、前記情報記憶部に記憶されたコンフィギュレーション情報に応じた種別とは異なる種別であったときに、信号処理が不能なカメラヘッドが装着されたことを表示する警告表示部とを備えたことを特徴とするカメラシステム。
【請求項２】
撮影光学系と撮像素子を備えたカメラヘッドが着脱自在に装着され該カメラヘッドから画像信号を受け取って信号処理を行なうカメラ本体において、
装着されたカメラヘッドの種別を認識するヘッド認識部と、
信号処理を定義する、カメラヘッドの種別に応じたコンフィギュレーション情報を記憶しておく情報記憶部と、
前記ヘッド認識部により認識されたカメラヘッドの種別に応じたコンフィギュレーション情報がセットされ該コンフィギュレーション情報に応じた信号処理を行なう信号処理部と、
前記ヘッド認識部により認識されたカメラヘッドの種別が、前記情報記憶部に記憶されたコンフィギュレーション情報に応じた種別とは異なる種別であったときに、信号処理が不能なカメラヘッドが装着されたことを表示する警告表示部とを備えたことを特徴とするカメラ本体。
【請求項３】
外部のデータ処理装置からのコンフィギュレーション情報のダウンロードを受けて前記情報記憶部に記憶させる情報受信部を備えたことを特徴とする請求項２記載のカメラ本体。
【請求項４】
装着されたカメラヘッドから受け取り前記信号処理部による信号処理の行なわれた画像信号を記憶する画像記憶部を備え、該画像記憶部は、前記情報記憶部に記憶されたコンフィギュレーションに応じた種別とは異なる種別のカメラヘッドが装着された状態での撮影操作を受けて、該カメラヘッドから受け取り少なくとも一部の信号処理が省略された画像信号を記憶するものであることを特徴とする請求項２記載のカメラ本体。
【発明の詳細な説明】
【技術分野】
【０００１】
本発明は、撮影光学系と撮像素子を備えたカメラヘッドと、そのカメラヘッドが着脱自在に装着されそのカメラヘッドから画像信号を受け取って信号処理を行なうカメラ本体とを備えたカメラシステムおよびそのカメラシステムを構成するカメラ本体に関する。
【背景技術】
【０００２】
撮像素子と撮影光学系が一体的になったプラグインユニットがカメラ本体に装着されると、そのプラグインユニットの情報がカメラ本体側に伝達されて、そのプラグインユニットが備える撮影光学系で撮影を行なうことができるようになるカメラシステムが提案されている（特許文献１参照）。このようにプラグインユニットがカメラ本体に装着されるだけで撮影光学系つまり撮影レンズの交換が行なわれるカメラシステムが実現されると、カメラシステムの取り扱いが非常に簡単になり、専門的な知識を持たない人にでも簡単に撮影レンズの交換を行なわせることができる。
【０００３】
同様なものに、撮影光学系と撮像素子を備えたカメラヘッドと、カメラヘッドが着脱自在に装着されカメラヘッドから画像信号を受け取って信号処理を行なうカメラ本体とを備えたカメラシステムがある（例えば特許文献２参照）。
【０００４】
ところで、最近撮像素子に多種多様なものが発表されており、特にカラーフィルタの配列（以下ＣＦＡという）には様々な提案がなされている。このＣＦＡには従来からあるベイヤ配列、また上記提案の中の一つとしてハニカム配列、ハニカムＳＲ、また４色配列（エメラルドチャンネル付き）といったものがあり、この先もこのＣＦＡの種類は増える方向にある。
【０００５】
このようにＣＦＡの種類が増えてくると、カメラヘッドに異なるＣＦＡを持つ撮像素子が配備されるケースが出てくる。そうするとカメラヘッドがカメラ本体に装着されたときに、そのカメラヘッドが備える撮像素子のＣＦＡの種類によっては、カメラ本体側の信号処理ハードウエアを変更しない限りそのカメラシステムで信号処理を行なうことができない事態が発生することがある。
【０００６】
それでも撮影者は、カメラヘッドがカメラ本体に装着されてしまうと、撮影を行なうことができるものと思い込んでしまってそのまま撮影を行なって後になって撮影を行なうことができなかったことに気づくことがある。このようにカメラヘッドの撮像素子とカメラ本体の信号処理部との間の適合性をカメラ本体に装着して撮影を行なってみるまで確認することができないというのでは如何にも使い勝手が悪い。
【特許文献１】特開平８−１７２５６１号公報
【特許文献２】特開２０００−１７５０８９号公報
【発明の開示】
【発明が解決しようとする課題】
【０００７】
本発明は、上記事情に鑑み、カメラヘッドがカメラ本体に装着されたときに装着されたカメラヘッドがカメラ本体に適合しないということに撮影者がすぐに気付く、使い勝手の良いカメラシステム、またそのカメラシステムを構成するカメラ本体を提供することを目的とする。
【課題を解決するための手段】
【０００８】
上記目的を達成する本発明のカメラシステムは、撮影光学系と撮像素子を備えたカメラヘッドと、そのカメラヘッドが着脱自在に装着されそのカメラヘッドから画像信号を受け取って信号処理を行なうカメラ本体とを備えたカメラシステムにおいて、
上記カメラヘッドが、そのカメラヘッドの種別情報を伝達する種別伝達部を備え、
上記カメラ本体が、
装着されたカメラヘッドの種別を認識するヘッド認識部と、
信号処理を定義する、カメラヘッドの種別に応じたコンフィギュレーション情報を記憶しておく情報記憶部と、
上記ヘッド認識部により認識されたカメラヘッドの種別に応じたコンフィギュレーション情報がセットされ該コンフィギュレーション情報に応じた信号処理を行なう信号処理部と、
上記ヘッド認識部により認識されたカメラヘッドの種別が、上記情報記憶部に記憶されたコンフィギュレーション情報に応じた種別とは異なる種別であったときに、信号処理が不能なカメラヘッドが装着されたことを表示する警告表示部とを備えたことを特徴とする。
【０００９】
上記本発明のカメラシステムによれば、上記ヘッド認識部により認識されたカメラヘッドの種別が、上記情報記憶部に記憶されたコンフィギュレーション情報に応じた種別とは異なる種別であったときに、信号処理不能なカメラヘッドが装着されたことが警告表示部によって表示される。そうすると、撮影者がその警告表示を見てカメラヘッドがカメラ本体に装着されたときにそのカメラヘッドがカメラ本体に適合しないということにすぐに気付くようになる。このようにすると、信号処理不能なカメラヘッドがカメラ本体に装着されたまま、撮影を行なってしまうようなことが回避される。
【００１０】
このように前述の問題が解決され、使い勝手の良いカメラシステムが実現される。
【００１１】
またそのカメラシステムを構成するカメラ本体は、撮影光学系と撮像素子を備えたカメラヘッドが着脱自在に装着されそのカメラヘッドから画像信号を受け取って信号処理を行なうカメラ本体であって、
装着されたカメラヘッドの種別を認識するヘッド認識部と、
信号処理を定義する、カメラヘッドの種別に応じたコンフィギュレーション情報を記憶しておく情報記憶部と、
上記ヘッド認識部により認識されたカメラヘッドの種別に応じたコンフィギュレーション情報がセットされ該コンフィギュレーション情報に応じた信号処理を行なう信号処理部と、
上記ヘッド認識部により認識されたカメラヘッドの種別が、上記情報記憶部に記憶されたコンフィギュレーション情報に応じた種別とは異なる種別であったときに、信号処理が不能なカメラヘッドが装着されたことを表示する警告表示部とを備えたことを特徴とする。
【００１２】
このようにカメラ本体がヘッド認識部と警告表示部とが配備されていると、複数の種類のカメラヘッドのうちのいずれかがこのカメラ本体に装着されたときにこのカメラ本体では信号処理不能なカメラヘッドが装着されたことが上記警告表示部により警告表示される。
【００１３】
そうすると、撮影者が構成したカメラシステムでは撮影が行なえないことを、カメラヘッドがカメラ本体に装着されたときに撮影者に対して警告することができるため、その信号処理不能なカメラヘッドがカメラ本体に装着された状態のまま、撮影が行なわれるといったことがなくなる。
【００１４】
ここで、外部のデータ処理装置からのコンフィギュレーション情報のダウンロードを受けて前記情報記憶部に記憶させる情報受信部を備えた態様であることが好ましい。
【００１５】
そうすると、上記情報受信部が外部のデータ処理装置からのコンフィギュレーション情報のダウンロードを受けて上記情報記憶部にいままで記憶されていなかったコンフィギュレーション情報を記憶させることができる。
【００１６】
このようにコンフィギュレーション情報のダウンロードを受けてそのコンフィギュレーション情報を情報記憶部に記憶させることができると、その情報記憶部のメモリが大容量であれば、上記情報記憶部にいろいろな種別のカメラヘッドのコンフィギュレーションをすべてを記憶しておくことができる。また、このようにダウンロードを受けることができるようにしておくと、これから装着しようとするカメラヘッドのコンフィギュレーション情報のみを、上書きにより情報記憶部に記憶させることもできるため、情報記憶部のメモリ容量を削減することができるという効果を引き出すこともできる。
【００１７】
また、装着されたカメラヘッドから受け取り前記信号処理部による信号処理の行なわれた画像信号を記憶する画像記憶部を備え、その画像記憶部は、上記情報記憶部に記憶されたコンフィギュレーションに応じた種別とは異なる種別のカメラヘッドが装着された状態での撮影操作を受けて、そのカメラヘッドから受け取り少なくとも一部の信号処理が省略された画像信号を記憶するものであることが望ましい。
【００１８】
そうすると、信号処理不能であるカメラヘッドが装着された場合においては、少なくとも一つの信号処理が省略された画像信号が上記画像記憶部に記憶される。そうすると、この画像記憶部に記憶された画像信号を生成したカメラヘッドのコンフィギュレーション情報を、撮影後にダウンロードにより取得してその画像信号に後から信号処理を施すこともできる。また画像記憶部が可搬型メモリカードなどにより構成されている場合には、他のカメラ本体にその可搬型メモリカードを装填しその画像信号を再生することによってその再生された画像信号に好適な信号処理を行なわせることもできる。
【発明の効果】
【００１９】
以上、説明したように、カメラヘッドがカメラ本体に装着されたときに装着されたカメラヘッドがカメラ本体に適合しないということに撮影者がすぐに気付く、使い勝手の良いカメラシステム、またそのカメラシステムを構成するカメラ本体が実現される。
【発明を実施するための最良の形態】
【００２０】
以下、本発明の実施の形態について説明する。
【００２１】
図１は、本発明の一実施形態であるカメラシステムを示す図である。
【００２２】
本発明のカメラシステムを説明するにあたって、カメラヘッド、カメラ本体双方とも複数の種類１ａ〜ｎａ、１ｂ〜ｎｂの製品を備えたものであって、その複数の種類のうちのいずれかの種類のカメラヘッド１ａがいずれかの種類のカメラ本体１ｂに交換自在に装着されてカメラシステム１が構成されたとして以降説明する。
【００２３】
図２は、その複数の種類の中の一つであるカメラヘッド１ａが複数の種類の一つであるカメラ本体１ｂに交換自在に装着されカメラシステム１が構成されたときの外観を示す図である。
【００２４】
図２には、撮影光学系と撮像素子を備えたカメラヘッド１ａと、そのカメラヘッド１ａが着脱自在に装着されカメラヘッド１ａから画像信号を受け取って信号処理を行なうカメラ本体１ｂとがそれぞれ別々に示されている。
【００２５】
図２に示すようにカメラ本体１ｂの中央には、多数のマウント接点を持つヘッドマウント１０ｂが設けられ、またカメラヘッド１ａ側にも同様のマウント部が設けられている。双方のマウント接点の位置がそれぞれあうように図中の一点鎖線に沿ってカメラヘッド１ａがカメラ本体１ｂに機械的に装着されると、多数のマウント接点同士が各々接続されてカメラヘッド１ａとカメラ本体１ｂとが電気的にも接続される。
【００２６】
このカメラシステム１は、カメラ本体１ｂにバッテリが配備され、そのバッテリから、カメラヘッド１ａおよびカメラ本体１ｂが備える多数のマウント接点の中の電力用接点を通して電力が供給される構成になっている。その電力用の接点を通してカメラ本体のバッテリの電力がカメラヘッドに供給されると、カメラヘッドとカメラ本体との双方がともに動作状態になる。
【００２７】
また、多数のマウント接点の中には、電力用接点のほかに制御用の接点もあり、その制御用の接点を通してカメラヘッド１ａの種別に関する情報の読み出しがカメラ本体側で行なわれるようにもなっている。
【００２８】
さらにカメラ本体１ｂのボディ上面にはレリーズ釦１３ｂとモードダイヤル１４ｂが配備されている。このモードダイヤル１４ｂによって撮影モードや再生モードなどが選択される。また図２に示すカメラ本体の背面側には画像表示用として用いられるＬＣＤパネル１５０ｂや十字キー、メニューキーなどの操作子が配備されている。
【００２９】
ここで図３を参照して図２に示すカメラシステムの内部の構成を簡単に説明する。
【００３０】
図３はカメラヘッド１ａがカメラ本体１ｂに装着された状態にあるときのカメラシステムの内部構成を示すブロック図である。図３には撮影処理に係わる系統が抜き出されて示されている。
【００３１】
図３の左側にはカメラヘッド１ａの構成が、また図３の右側にはカメラ本体１ｂの構成がそれぞれ示されている。
【００３２】
まず、カメラヘッド１ａ側の構成を簡単に説明する。
【００３３】
図３に示すようにこのカメラシステム１を構成するカメラヘッド１ａには、レンズ１１ａと撮像素子（ここではＣＣＤ固体撮像素子が用いられているので以下ＣＣＤという）１２ａとが備えられている。ここではレンズ１１ａでＣＣＤ１２ａに被写体を結像させて、ＣＣＤ１２ａで被写体を表す画像信号の生成を行なって、露光完了のタイミングでその被写体を表す画像信号をＣＤＳ／ＡＤ部１３ａに出力させている。そのＣＤＳ／ＡＤ部１３ａによってＣＣＤ１２ａから出力させたときに乗ったノイズが低減され、さらにアナログ信号の画像信号がデジタル信号の画像信号に変換されデジタル信号になった画像信号がカメラ本体１ｂへ供給される。カメラ本体１ｂではそのデジタル信号になった画像信号の供給を受けてカメラ本体１ｂ内部の信号処理部１４ｂで信号処理を行なう。
【００３４】
この信号処理部で好適な信号処理を行なうことができるように、図３に示すカメラヘッドにはカメラヘッド１ａの種別を表すデータが予め記憶されているＣＣＤ情報用メモリ１４ａが配備され、カメラヘッド１ａがカメラ本体に装着されモードダイヤルにより電源が投入されたときに、そのＣＣＤ情報用メモリ１４ａに記憶されているカメラヘッドの種別を表すデータがカメラ本体１ｂ側のＣＰＵ１０ｂにより読み出されてカメラ本体１ｂのＲＡＭ１３ｂに記憶されるようになっている。さらにこのＲＡＭ１３ｂに記憶されたカメラヘッド１ａの種別を表すデータが本体側のＣＰＵ１０ｂにより判読されることによりカメラヘッドの種別がＣＰＵ１０ｂにより認識されると、ＣＰＵ１０ｂによりＥＥＰＲＯＭ１２ｂにその種別のコンフィギュレーションが保有されているかどうかが判定され、保有されているようだったらＥＥＰＲＯＭからその種別のコンフィギュレーションが読み出されて信号処理部１４ｂにセットされるようになっている。このＣＰＵ１０ｂが本発明にいうヘッド認識部にあたる。また、上記ＥＥＰＲＯＭ１２ｂには、このカメラ本体１ｂに装着されるであろうカメラヘッド内のＣＣＤで生成された画像信号のカメラ本体側での信号処理を定義する、カメラヘッド１ａの種別に応じたコンフィギュレーション情報が多数記憶されている。このＥＥＰＲＯＭ１２ｂが本発明にいう情報記憶部にあたり、前述のＣＣＤ情報用メモリ１４ａが本発明にいう種別伝達部の一部にあたり、その種別伝達部から情報を読み出す本体側のＣＰＵ１０ｂが本発明にいう種別伝達部の余部および本発明にいうヘッド認識部にあたる。なお、信号処理部には、コンフィギュレーション情報に応じてゲートアレイの内部ロジックが変更されるフレキシブルプログラマブルゲートアレイ（Ｆｌｅｘｉｂｌｅ  Ｐｒｏｇｒａｍａｂｌｅ  Ｇａｔｅ  Ａｒｒａｙ）が用いられている。
【００３５】
ここで、本発明にいう種別伝達部およびヘッド認識部にあたるＣＰＵ１０ｂを持つカメラ本体１ｂ側の構成を説明する。
【００３６】
カメラ本体１ｂ側のＣＰＵ１０ｂにより、カメラヘッド１ａがカメラ本体１ｂに装着された状態にあるときにこのカメラシステム１全体の動作が統括的に制御されるとともにカメラ本体１ｂのみの動作も制御される。ＲＯＭ１１ｂ内にはそのＣＰＵ１０ｂを所定の手順で働かせるためのプログラムが格納されており、さらにＥＥＰＲＯＭ１２ｂ内には、前述したように、カメラ本体１ｂ側での信号処理を定義する、カメラヘッド１ａの種別に応じたコンフィギュレーション情報が多数記憶されている。
【００３７】
まず、撮影可能なカメラヘッド１ａがカメラ本体１ｂに装着された状態にあるときに撮影が行なわれたときの画像信号の流れを説明しておく。ここでは信号処理部１４ｂにコンフィギュレーションがセットされたものとして以降の説明を行なう。
【００３８】
電源が投入され撮影モードが選択されたら、レンズ１１ａが捉えた被写体を表す画像信号がＣＣＤ１２ａで生成されそのＣＣＤ１２ａで生成された画像信号がカメラヘッド１ａ側のＣＤＳ／ＡＤ部１３ａからカメラ本体１ｂの信号処理部１４ｂに供給される。そうしたら、カメラ本体１ｂ側の信号処理部１４ｂでその画像信号に信号処理が行なわれその信号処理が行なわれた画像信号がＬＣＤ表示部１５ｂに供給されＬＣＤ表示部１５ｂの表示画面上に被写体が表示される。この表示画面上には、レンズ１１ａが向けられている方向の被写体が所定の時刻ごとに切り替えられては表示されるため、撮影者にとっては、レンズ１１ａが捉え続けている被写体がその表示画面上にそのまま表示されているように見える。その表示画面上に表示されている被写体を見ながら撮影者によってシャッタチャンスにレリーズ釦１３ｂが押されたら、そのレリーズ釦１３ｂが押されたときにレンズ１１ａが捉えていた被写体を表す画像信号がＣＣＤ１２ａで生成されそのＣＣＤ１２ａで生成された画像信号が記録媒体１６ｂに記録される。
【００３９】
以上が撮影可能なカメラヘッドがカメラ本体に装着された状態にあるときに撮影が行なわれるときの画像信号の流れである。このようにカメラ本体に装着されたカメラヘッドの種別がカメラ本体の信号処理部で信号処理可能なものであれば良いが、前述したように、複数種類の中からの一つのカメラヘッドが、複数種類の中の一つであるカメラ本体に装着されてこのカメラシステムが構成される訳であるから、装着された時点においてはカメラ本体側の信号処理部で信号処理不能なカメラヘッドが装着されている場合もある。その信号処理不能なカメラヘッドがカメラ本体に装着された状態にあるときに撮影操作が行なわれると、カメラ本体側の信号処理部で画像信号に対して好適な信号処理が行なわれなくなってしまう。そこで本実施形態では、カメラヘッド１ａがカメラ本体１ｂに装着され電源が投入されたときに、カメラ本体１ｂ内のＣＰＵ１０ｂが前述したＣＣＤ情報用メモリ１４ａ内に記憶されているカメラヘッド１ａの種別例えば機種コードを読み出してＲＡＭ１３ｂに取り込むようにし、さらにそのＲＡＭ１３ｂに取り込んだ機種コードを読み出してその機種コードに該当するコンフィギュレーションがＥＥＰＲＯＭ１２ｂ内に保有されているかどうかを判定するようにしている。この例ではＥＥＰＲＯＭ１２ｂ内に機種コードとその機種コードに応じたコンフィギュレーション情報が多数記憶されており、そのＥＥＰＲＯＭ１２ｂ内にコンフィギュレーション情報が保有されている機種コードであるかどうかがＣＰＵ１０ｂにより判定されるようになっている。
【００４０】
図４は、ＣＰＵ１０ｂが行なう処理の手順を示すフローチャートである。
【００４１】
ステップＳ４０１でカメラヘッド側のＣＣＤ情報用メモリから種別情報を読み出す。次の判定ステップＳ４０２へ進んでその種別に応じたコンフィギュレーション情報がＥＥＰＲＯＭ内に保有されているかどうかを判定する。この判定ステップＳ４０２でＥＥＰＲＯＭ１２ｂ内に保有されていると判定したらＹ側へ進み、ＥＥＰＲＯＭ内の種別に応じたコンフィギュレーションを信号処理部１４ｂにセットしてこのフローの処理を終了する。また判定ステップＳ４０２でＥＥＲＰＯＭ１２ｂ内に保有されていないと判定したらＮ側へ進みステップＳ４０４でＬＣＤ表示部１５ｂを制御して表示画面１５０ｂ上に警告表示を行なう。次のステップＳ４０５でその警告表示にしたがってカメラヘッドの交換が撮影者により行なわれたら、ステップＳ４０１へ戻ってステップＳ４０１からステップＳ４０３およびＳ４０４、Ｓ４０５の一連の処理を繰り返し行なう。ステップＳ４０５でカメラヘッド１ａの交換が行なわれなかったら、このフローの処理を終了する。このＣＰＵ１０ｂと上記ＬＣＤ表示部１５ｂが本発明にいう警告表示部にあたる。
【００４２】
以上説明したように、カメラヘッド１ａがカメラ本体１ｂに装着されたときに装着されたカメラヘッド１ａがカメラ本体１ｂに適合しないということに撮影者がすぐに気付く、使い勝手の良いカメラシステム、そのカメラシステムを構成するカメラ本体が実現される。
【００４３】
カメラ本体１ｂのＥＥＰＲＯＭ１２ｂ内にコンフィギュレーション情報が有れば、信号処理部１４ｂにそのコンフィギュレーション情報をセットすることができるので、そのコンフィギュレーション情報を外部のデータ処理装置などから取得することができるようにしておくと、さらに使い勝手の良いシステムになる。
【００４４】
図５は、データ処理装置ここではパーソナルコンピュータ（以降ＰＣという）にカメラ本体が接続されてＰＣからコンフィギュレーション情報を取得することができるようにした場合の構成を示す図である。また図６は、図５の構成に適合するカメラ本体１ｂの内部構成を示す図である。
【００４５】
図５，６に示すようにカメラ本体１ｂにＵＳＢコントローラ１７ｂおよびＵＳＢコネクタ部１７０ｂを配備して、カメラ本体とＰＣとを接続することができるようにすると、ＰＣ２に装填されたＣＤ２０からコンフィギュレーション情報を取得することができるような構成に拡張される。
【００４６】
この例では、プログラムとコンフィギュレーション情報との双方が格納されているＣＤ２０がＰＣ２のＣＤ装填室に装填されると、ＣＤ内のプログラムが起動されてコンフィギュレーションのダウンロードメニューが表示されるような構成例が示されている。
【００４７】
まず、ＣＤ２０がＰＣ２に装填されると、ＣＤ内のダウンロード用のプログラムが起動され、ＰＣ２の表示画面上にダウンロード実行用のアイコンや多数のコンフィギュレーション情報が表示される。この表示が行なわれているときにマウスなどでいずれかのコンフィギュレーション情報が選択され、さらにダウンロード実行用のアイコンがクリックされたら、ＣＤ２０内のコンフィギュレーション情報がＵＳＢケーブルを介してカメラ本体１ｂのＥＥＯＲＯＭ１２ｂへダウンロードされる。
【００４８】
このようにしておくと、ダウンロードによりコンフィギュレーションが取得されＥＥＰＲＯＭ１２ｂ内のコンフィギュレーション情報が増えていままでよりも多くの種類のカメラヘッドに適応可能なカメラ本体になる。
【００４９】
以上説明したように、カメラヘッドがカメラ本体に装着されたときに装着されたカメラヘッドがカメラ本体に適合しないということに撮影者がすぐに気付く、使い勝手の良いカメラシステム、またそのカメラシステムを構成するカメラ本体が実現される。
【００５０】
最後にカメラヘッドのコンフィギュレーションがカメラ本体にない状況においても撮影を行なうことができるようにした場合の構成を、図３を参照しながら説明しておく。
【００５１】
いままではカメラヘッドの種別に応じた信号処理をカメラ本体側の信号処理部１４ｂに行なわせることを考えてきたが、カメラヘッド１ａのＣＣＤ１２ａで生成した画像信号に信号処理を施さなくてもその画像信号とその画像信号を得たコンフィギュレーション情報があれば記録媒体１６ｂに記録した後、その記録媒体に記録した画像信号を読み出すことにより信号処理を施すこともできる。
【００５２】
そこで、このような場合においてはカメラ本体１ｂのＣＰＵ１０ｂが、情報記憶部であるＣＣＤ情報用メモリ１４ａに記憶されたコンフィギュレーションに応じた種別とは異なる種別のカメラヘッドが装着された状態での撮影操作を受けて、カメラヘッド１ａから画像信号を受け取り少なくとも一部の信号処理が省略された画像信号を記録媒体１６ａに記録するような構成にしておくと良い。このときには、記録媒体１６ａに記録する画像信号のヘッダにカメラヘッドの種別を記録するようにしておくとなお良い。この記録媒体が本発明にいう画像記録部にあたる。
【００５３】
そうすると、例えばその画像記憶部にあたる記録媒体に記録されている、信号処理の少なくとも一部の信号処理が省略された画像信号を、そのカメラヘッドの種別に応じたコンフィギュレーションを持つ、他のカメラ本体で再生することにより、そのカメラヘッドの種別に応じた信号処理を再生時に行なわせるようにすることもできる。また、記録媒体が可搬型のメモリカードのようなものであった場合には、上記カメラヘッドの種別に応じたコンフィギュレーションを持つ他のカメラ本体の媒体装填室に装填して再生することにより、カメラヘッドの種別に応じた信号処理を信号処理部に行なわせるようにすることもできる。
【図面の簡単な説明】
【００５４】
【図１】本発明の一実施形態であるカメラシステムを示す図である。
【図２】その複数の種類の中の一つであるカメラヘッド１ａが複数の種類の一つであるカメラ本体１ｂに交換自在に装着されカメラシステム１が構成されたときの外観を示す図である。
【図３】カメラヘッド１ａがカメラ本体１ｂに装着された状態にあるときのカメラシステムの内部構成を示すブロック図である。
【図４】ＣＰＵ１０ｂが行なう処理の手順を示すフローチャートである。
【図５】データ処理装置ここではパーソナルコンピュータ（以降ＰＣという）にカメラ本体が接続されてＰＣからコンフィギュレーション情報を取得することができるようにした場合の構成を示す図である。
【図６】図５の構成に適合するカメラ本体１ｂの内部構成を示す図である。
【符号の説明】
【００５５】
１  カメラシステム
１ａ  カメラヘッド
１１ａ    レンズ
１２ａ    ＣＣＤ
１３ａ    ＣＤＳ／ＡＤ部
１ｂ    カメラ本体
１０ｂ  ＣＰＵ
１１ｂ  ＲＯＭ
１２ｂ  ＥＥＰＲＯＭ
１３ｂ    ＲＡＭ
１４ｂ    信号処理部
１５ｂ    ＬＣＤ表示部
１５０ｂ    表示画面
１６ｂ    記録媒体
１７ｂ    ＵＳＢコントローラ
２  データ処理装置（ＰＣ）
【図１】
2006041766.tif 000003
【図２】
2006041766.tif 000004
【図３】
2006041766.tif 000005
【図４】
2006041766.tif 000006
【図５】
2006041766.tif 000007
【図６】
2006041766.tif 000008